(57)【特許請求の範囲】
【請求項１】
制御装置（２７）と、第一および第二駆動部（Ａ１，Ａ２）と、移送装置（Ｔ）、ならびに第一および第二裁断ステーション（Ｓ１，Ｓ２）を備え、この第一および第二裁断ステーションが、各々少なくとも一つの可動な上刃（６）と、固定された下刃（４）と、可動なプレスビーム（５）とを有する、印刷物（Ｄ）を裁断するための裁断装置であって、
前記上刃（６）が第一駆動部（Ａ１）と、そして前記プレスビーム（５）が第二駆動部（Ａ２）と接続しており、
前記プレスビーム（５）が裁断後、上刃（６）に先行して持上げ可能に形成されており、そのために第二駆動部（Ａ２）により上刃（６）の裁断運動とは連結していない状態で駆動可能に形成されており、
前記第二駆動部（Ａ２）が裁断ステーション（Ｓ１，Ｓ２）の外側に配置されたモータ（１２）を備えている様式の裁断装置において、
上刃（６）が垂直に運動可能な共通の枠（９）に固定されており、プレスビームが枠（９）に支承されていることを特徴とする装置。
【請求項２】
前記プレスビーム（５）の持ち上がり時点が制御可能であるように、第二駆動部（Ａ２）のモータ（１２）と制御装置（２７）が構成されていることを特徴とする請求項１記載の装置。
【請求項３】
プレスビーム（５）が印刷物（Ｄ）の厚さに相応するように上刃（６）に先行して持ち上げ可能であることを特徴とする請求項１または２記載の装置。
【請求項４】
第二駆動部（Ａ２）のモーター（１２）がサーボモーターとして形成されていることを特徴とする請求項１〜３のいずれか一つに記載の装置。
【請求項５】
モーター（１２）が支承台（２８）上で支承されていることを特徴とする請求項１〜４のいずれか一つに記載の装置。
【請求項６】
全プレスビーム（５）が持上げ運動の間、伝動装置（１０）、特に連結機構を介して第二駆動部（Ａ２）と連結していることを特徴とする請求項１〜５のいずれか一つに記載の装置。
【請求項７】
裁断装置が三方裁断機として構成されており、伝動装置（１０）が同時に裁断装置（１）のプレスビームの全てと接続していることを特徴とする請求項６に記載の装置。
【請求項８】
伝動装置（１０）が上刃（６）の枠（９）に固定されていることを特徴とする請求項６または７に記載の装置。
【請求項９】
伝動装置（１０）が枠（９）の互いに間隔をおいて設けられた二つの支承部に配設されていることを特徴とする請求項８に記載の装置。
【発明の詳細な説明】
【技術分野】
【０００１】
本発明は、少なくとも一つの上刃と、固定された下刃と、可動なプレスビームと、駆動部ならびに制御装置を備えた、裁断装置内において印刷物を裁断するための方法に関する。この際、裁断前に印刷物はプレスビームによりプレスされ、裁断後上刃とプレスビームは再度持ち上がられ、裁断された印刷物は移送装置により先へ移送される。さらに本発明はこの方法を実施するための装置に関する。
【背景技術】
【０００２】
公知の様式の方法は特に印刷業界においては、例えば三箇所の開口した縁部に沿って仮綴じされた全紙を裁断するために実施される。裁断装置には印刷物を第一裁断ステーションから第二裁断ステーションまで移送するための移送装置が所属している。第一裁断ステーションでは前側裁断が実施される。前側裁断は移送方向に対して横方向に実施される。前側裁断の後、印刷物は移送装置により第二裁断ステーションに供給される。この際そこでは天側裁断ならびに地側裁断が同時に実施される。三方で裁断された印刷物は移送装置により裁断装置から移動される。
【０００３】
裁断ステーションはどちらも同時に作動する。第一裁断ステーションでは前側裁断が実施され、同時に第二裁断ステーションでは天側及び地側裁断が実施される。第一裁断ステーションは可動な上刃と固定された下刃、ならびにプレスビームを有する。第二裁断ステーションは互いに側方で間隔をおいて設けられた可動な上刃と、これらの上刃の各々に対して固定された下刃、ならびに上刃と接続されたプレスビームを有する。プレスビームは先行して刃が動き、したがって印刷物は裁断開始の際に固く押し付けられる。裁断後、プレスビームは上刃を追走するように駆動されている。上刃を追走するように駆動されているプレスビームが印刷物から持ち上がられていると、印刷物は先へ移送される。
【０００４】
このような裁断装置により、一層密な裁断許容誤差と、同時に高い製造能力が要求される。相応して裁断装置内で印刷物を断続的に移送するかあるいは送るために、速度が速くかつ精密な移送システムと制御システムが必要とされる。このことはこれまで公知の方法と装置を用いて、一定のサイクルタイムあるいは製造能力まで、印刷物を送るための使用可能な駆動システムにより実現可能である。
【発明の開示】
【発明が解決しようとする課題】
【０００５】
本発明の根底をなす課題は、さらに高い製造能力を可能とし、かつそれでもなお絶対安全に作動する、方法及びこの方法を実施するための裁断装置を提供することにある。
【課題を解決するための手段】
【０００６】
この課題は、本発明に類するような方法においては、プレスビームが裁断後上刃に先行して持ち上がられることにより解決される。同時に裁断された印刷物は裁断過程後、実質的にこれまでよりも早期に解放され、かつ第二裁断ステーションに渡される。従って刃の運動の戻り段階の実質的な時間割当分は、印刷物の送りに利用することができる。従ってプレスビームの迅速な開放は、印刷物の送り運動を早期に開始するために利用することができる。移送のために多くの時間を自由に使用できるので、さらにこの送り運動の際の印刷物の移送開始は実質的に静かに行われ、このことは特に薄くかつ傷つき易い印刷物の場合にはきわめて有利である。
【０００７】
本発明の他の実施形態によれば、プレスビームは上刃の下死点に達する直前に先行して持ち上げられる。従って特に大きな時間割当分は送りのために使用することができる。
【０００８】
本発明の別の実施形態によれば、プレスビームは印刷物の厚さに相応して持ち上げられる。従って解放時点は印刷物の厚さには依存していない。印刷物の解放は機械サイクルにおいては従って常に同じ機械角度の場合に行われる。
【０００９】
本発明の他の実施形態によれば、プレスビームはモーターで駆動されており、この場合この駆動部は先に挙げた先行する持ち上がりの際に、上刃の運動により連結解除されている。これにより特に簡単でかつ最適な運動手順が可能になる。
【００１０】
本方法は三方裁断機の場合に本発明の別の実施形態にしたがって実施され、この三方裁断機は前側部分を実施するための第一裁断ステーションと、天及び地部分を実施するための第二裁断ステーションとを備えている。先行する持ち上がりはここでは三つのプレスビーム全てにおいても同時に行われる。
【００１１】
本方法を実施するための装置は、上刃（６）が垂直に運動可能な共通の枠（９）に固定されており、プレスビームが枠（９）に支承されていることを特徴とする。プレスビームは本発明の他の実施形態によればモーターにより駆動されるのが好ましい。このモーターはサーボモーターであるのが好ましい。モーターは裁断ステーションの外側にまたは裁断ステーションに設けられているのが好ましい。
【００１２】
裁断装置は本発明の他の実施形態によれば、前側部分のための第一裁断ステーションと、天及び地部分のための第二裁断ステーションとを備えている三方裁断機である。この場合三つのプレスビームは全て、個別のモーター、特にサーボモーターにより駆動されるのが好ましい。サーボモーターは両裁断ステーションの外側に固く取付けられているのが好ましい。
【００１３】
本発明の別の実施形態によれば、伝動装置、特に連結機構が設けられており、この連結機構は裁断装置の枠に支承されているのが好ましく、かつプレスビームの先行する運動を実施するために、裁断過程から連結解除された駆動部をプレスビームと接続する。連結機構はモーターを三つのプレスビーム全てと接続するように構成されているのが好ましい。さらにこの場合プレスビームのための駆動部はモーター、特にサーボモーターであるのが好ましい。
【発明を実施するための最良の形態】
【００１４】
本発明の実施例を、図に基づき詳しく説明する。
【実施例】
【００１５】
本発明による裁断装置１は第一裁断ステーションＳ１を備え、この第一裁断ステーションには図３によれば移送装置Ｔ、例えばコンベヤベルトにより断続的に印刷物Ｄが矢印２９の方向で供給される。この第一裁断ステーションＳ１は開口した縁部に沿った前側部分を案内するために使用される。印刷物Ｄはここでは例えば仮綴された印刷紙葉であり、この印刷紙葉により小冊子あるいはそのような物を製造しなければならない。前側部分ができると、印刷物Ｄは移送装置Ｔにより第二裁断ステーションＳ２の矢印３０の方向で供給される。この第二裁断ステーションＳ２により、印刷物Ｄは天部分において、及び同時に地部分において裁断される。第一裁断ステーションＳ１から第二裁断ステーションＳ２までの印刷物Ｄの移送は移送装置Ｔで制御された状態で行われる。裁断装置１はここでは図１でのみ示した機械台架２を備え、この台架上には裁断ステーションＳ１及びＳ２が固定されている。
【００１６】
裁断装置は垂直に運動可能な枠９に固定されている。枠９の駆動は第一駆動部Ａ１により行われ、この第一駆動部は例えばここでは図示していない軸と連接棒を備えている。このような駆動部はそれ自体は公知であり、従ってこれ以上説明する必要はない。制御は図１で単に概略的に示したにすぎない制御装置２７により行なわれる。
【００１７】
上刃６はそれ自体公知の方法で傾斜して延びている裁断エッジ部６ａを有しており、この裁断エッジは裁断を行なうために固定された下刃４と協働する。両方向矢印１３に伴って、枠９あるいは上刃６の運動が制御されている。裁断手順において、上刃６は上方から下方へと印刷物Ｄの水平方向表側に対して運動する。裁断手順に従って、上刃６は下死点に達した後、上方へ向かって上死点まで運動する。この運動は規則的運動で移送装置Ｔにより行なわれる。
【００１８】
枠９において案内部８によりプレスビーム５が支承されている。このそれ自体公知の
プレスビーム５は印刷物Ｄをプレスするために使用されている。プレス圧力は例えばバネ７によりかけられており、このバネは枠９とプレスビーム５の間で緊張されている。枠９が第一駆動部Ａ１により運動すると、プレスビーム５は、印刷物Ｄの表側に達するまで、同様に下方まで運動する。同時にプレスビーム５は上刃６に対して先行して走行する。枠９がさらに運動する場合、バネ７はさらに緊張され、対応してプレスビーム５は印刷物Ｄに押圧される。その後上刃６は印刷物Ｄに到達し、かつ印刷物を公知の方法で裁断エッジ６ａにより裁断する。従って第一段階では印刷物Ｄをプレスし、第二段階ではプレスされた状態で印刷物を裁断する。同じことは第二裁断ステーションＳ２の上刃とプレスビームにも同時に当てはまる。手順は第一裁断ステーションＳ１の場合と同じである。同様に第二裁断ステーションＳ２の制御は制御装置２７を介して行なわれる。
【００１９】
裁断装置により裁断が実施された後、プレスビーム５は先行するように、第二駆動部による枠９の運動とは連結していない状態で持ち上げられる。図１に示したように、この駆動部Ａ２は同様に制御装置２７により制御されており、かつ伝動装置１０を介してプレスビーム５と接続している。駆動部Ａ２は支承台上で支承されているモーター１２を有する。支承台２８は裁断装置の外側かあるいは裁断装置に隣接して設けられている。モーター１２はそれ自体公知のモーターであるのが好ましい。伝動装置１０は連結機構であり、かつ枠９の支承部に支持されているのが好ましい。伝動装置１０はモーター１２のローターと接続している第一レバー１０ａを有する。ジョイント部１４を介して、このレバー１０ａは連接棒１０ｂと接続しており、この連接棒は他方ではジョイント部１５を介して別のレバー１０ｃと接続している。このレバー１０ｃは支承部１１を介して第三レバー１０ｄと固く接続している。この第三レバー１０ｄはジョイント部１６と連接棒１０ｅを介してプレスビーム５と接続している。モーター１２の回転方向に応じて、図１のプレスビーム５は伝動装置１０を介して上下に運動する。さらに伝動装置１０は枠９の二つあるいはそれより多くの支承部１１でもって支承されているように構成されていてもよい。
【００２０】
以下に図２ａ〜２ｄに基づき裁断手順を説明する。
【００２１】
図２ａは枠９が上死点にある初期状態を示す。同様にプレスビーム５は上側位置にある。印刷物Ｄは裁断のために位置決めされており、かつ裏側３１でもって下刃４上で平らに載置されている。背部３ａは上刃６の裁断平面に対して平行に延びている。印刷物Ｄの供給は矢印１９の方向で行なわれる。裁断を実施するために、ただ枠９の対応する運動によってのみ上刃６とプレスビーム５は矢印１７あるいは１８の方向で同時に下方へと運動する。すでに述べたようにこの場合、印刷物Ｄは図２ｂによればプレスビーム５によりまずプレスされ、引き続き矢印２０に従いさらに下方へと運動する上刃６により裁断される。印刷物Ｄからは、裁断面２２に沿って部分２１が完全に裁断され、この部分はそれ自体公知の方法で例えば吸引されて分離される。
【００２２】
上刃６は図２ｃに示した下死点まで運動する。下死点領域において、プレスビーム５は矢印２４に従い上方へ直ちに運動する。これにより印刷物Ｄは解除され、かつ矢印２３の方向でさらに移送される。矢印２４の方向でのプレスビーム５の運動は、枠９の運動とは連結していない第二駆動部Ａ２により行なわれる。図１においてはこのためにモーター１２が時計回りに駆動される。ここでは従って連接棒１０ｂは右へ運動し、連接棒１０ｅはプレスビーム５と共に上方へ運動する。プレスビーム５のこの開放運動の作動領域は、モーター１２により制御され、従って持ち上がり時点は印刷物Ｄの厚さには依存していない。それに関連して印刷物Ｄの解放時点はもはや印刷物Ｄの厚さには依存しておらず、かつ常に同じ時点あるいは機械的角度に関連して行われる。持ち上げた後プレスビーム５は図２ｄに従い矢印２６の方向でさらに上方へ運動し、この場合プレスビーム５は上死点において、枠９の上方への運動により追いつかれる。従って上刃６とプレスビーム５は最後には各々同様に上死点にある。
【００２３】
プレスビーム５が持ち上がり運動する場合、バネ７はなおさらに緊張されるかあるいは圧縮される。
【００２４】
プレスビーム５の先行する運動により、矢印２３の方向で印刷物Ｄを移送するために、相応するようにして以前より多くの時間が自由に使用できる。これにより例えばこの方向での移送は注意深く行われ、例えば加速度はこれまでよりも低く保たれる。
【００２５】
図２ａ〜２ｄに示した運動は三つの上刃６とプレスビーム５全てにおいて同時に行われるのが好ましい。伝動装置１０はこの場合ここでは図示していない伝動部材を介して三つのプレスビーム５全てと同時に接続している。二つの印刷物Ｄが同時に裁断される。第一印刷物Ｄは前部において裁断され、第二印刷物Ｄは天及び地部において裁断される。前部でだけ裁断された第一印刷物Ｄは、第二裁断ステーションの移送装置Ｔにより供給される。さらに三つのプレスビーム５を各々サーボモーターにより駆動することは原則的には可能であろう。しかしながらこのことは伝動装置１０を介した先に挙げた共通の駆動部に比べて基本的に高価であろう。本発明による裁断装置１には刃が三つあるが、裁断ステーションはたった一つしかない裁断装置であってもよい。
【図面の簡単な説明】
【００２６】
【図１】本発明による裁断装置の概略図である。
【図２ａ】裁断装置の個別の概略工程、特に上刃とプレスビームの運動を示す図である。
【図２ｂ】裁断装置の個別の概略工程、特に上刃とプレスビームの運動を示す図である。
【図２ｃ】裁断装置の個別の概略工程、特に上刃とプレスビームの運動を示す図である。
【図２ｄ】裁断装置の個別の概略工程、特に上刃とプレスビームの運動を示す図である。
【図３】本発明による裁断装置の概略平面図である。
【図１】
0005189755.tif 000002
【図２ａ】
0005189755.tif 000003
【図２ｂ】
0005189755.tif 000004
【図２ｃ】
0005189755.tif 000005
【図２ｄ】
0005189755.tif 000006
【図３】
0005189755.tif 000007